(57)【要約】【課題】別の装着ハウジングに装着されている電気機能部品を簡単に取り外すことができる電気接続箱を提供する。【解決手段】アッパーケース１２上の装着面の中央部には、前側と後側とでそれぞれ列をなすように複数の装着ハウジング２１，２２が並設されている。前列の装着ハウジング（特定の装着ハウジング）２１は、それらの並設方向に一定の間隔をおいて配置されているため、前列の装着ハウジング２１の間には隙間２７が形成されている。この隙間２７を介して、治具２９の先端部を後列の装着ハウジング２２内に到達させることが可能となっている。【選択図】　図３
2004032839.tif 000002
【特許請求の範囲】
【請求項１】
接続箱本体に電気機能部品が着脱される複数の装着ハウジングを設けた電気接続箱において、
前記装着ハウジングのうち特定の装着ハウジングを複数並設し、この特定の装着ハウジングが並設されている列の近傍に別の装着ハウジングを配置し、前記特定の装着ハウジングの間に、別の装着ハウジングの切欠部と対向する隙間を形成し、前記電気機能部品を抜き取るための治具を、前記隙間と切欠部とを介して前記電気機能部品と前記接続箱本体との間に狭入できるようにしたことを特徴とする電気接続箱。
【請求項２】
前記特定の装着ハウジングの近傍には、前記治具を操作する際に前記治具の回動支点となる突部が設けられていることを特徴とする請求項１に記載の電気接続箱。
【請求項３】
前記突部は、前記隙間に配置されていることを特徴とする請求項１又は２に記載の電気接続箱。
【発明の詳細な説明】
【０００１】
【発明の属する技術分野】
本発明は、自動車等の車両に用いられる電気接続箱に関するものである。
【０００２】
【従来の技術】
図７、図８に示すように、この種の電気接続箱５０における接続箱本体５２には、その前後においてそれぞれ列をなすように複数の装着ハウジング５４ａ，５４ｂが並設され、それぞれの装着ハウジング５４ａ，５４ｂにはリレー５１が着脱可能に装着されている。このような電気接続箱５０では、メンテナンス等に際して、装着ハウジング５４ａ，５４ｂから不調リレー５１を取り外し、新しいリレー５１に交換することがある。この場合、マイナスドライバーの先端部等を、装着ハウジング５４ａ，５４ｂの側壁に形成した切欠部５４を介して、リレー５１と、接続箱本体５２を構成するアッパーケース５３上の装着面との間に差し込み、リレー５１をその装着面から浮き上がらせ、その後リレー５１を手で掴んで引き抜いている。
【０００３】
【発明が解決しようとする課題】
しかしながら、前列に配置されている各装着ハウジング５４ａと、後列に配置されている各装着ハウジング５４ｂとは、それぞれ前後方向において互いにラップして対峙する位置に配置されている。このため、後列に配置されている装着ハウジング５４ｂのリレー５１を取り外す場合には、前列に配置されている装着ハウジング５４ａのリレー５１が邪魔になる。そして、後列に配置されている装着ハウジング５４ｂの後側には、何らかの部品が装着され、その後側に空きスペースが形成されていることは少ない。そのため、前列に配置されている装着ハウジング５４ａのリレー５１を一度取り外し、後列に配置されている装着ハウジング５４ｂの前側を開放させなくてはならない。以上のように、従来の電気接続箱においては、後列の装着ハウジング５４ｂのリレー５１を取り外すのが極めて面倒であるという問題があった。
【０００４】
本発明は上記の課題に鑑みてなされたものであり、その目的は、別の装着ハウジングに装着されている電気機能部品を簡単に取り外すことができる電気接続箱を提供することにある。
【０００５】
【課題を解決するための手段】
請求項１に記載の発明では、接続箱本体に電気機能部品が着脱される複数の装着ハウジングを設けた電気接続箱において、前記装着ハウジングのうち特定の装着ハウジングを複数並設し、この特定の装着ハウジングが並設されている列の近傍に別の装着ハウジングを配置し、前記特定の装着ハウジングの間に、別の装着ハウジングの切欠部と対向する隙間を形成し、前記電気機能部品を抜き取るための治具を、前記隙間と切欠部とを介して前記電気機能部品と前記接続箱本体との間に狭入できるようにしたことをその要旨とする。
【０００６】
この構成によれば、別の装着ハウジングにある電気機能部品を取り外す場合には、特定の装着ハウジングの間に形成された隙間に治具を挿入し、その治具の先端部を別の装着ハウジングにある電気機能部品と接続箱本体との間に差し込む。そして、治具を操作することによって、別の装着ハウジングにある電気機能部品を、接続箱本体上の装着面から浮き上がらせ、その状態で電気機能部品を抜き取る。よって、別の装着ハウジングにある電気機能部品を取り外すのに、特定の装着ハウジングにある電気機能部品を取り外す必要がないため、その電気機能部品の取り外し作業が容易となる。
【０００７】
請求項２に記載の発明では、請求項１に記載の電気接続箱において、前記特定の装着ハウジングの近傍には、前記治具を操作する際に前記治具の回動支点となる突部が設けられていることをその要旨とする。
【０００８】
この構成によれば、突部に治具を当接させ、その当接箇所を回動支点として治具を回動させれば、別の装着ハウジングにある電気機能部品を、梃子の原理でもって接続箱本体上の装着面から浮き上がらせることが可能になる。よって、小さな力で電気機能部品を浮き上がせることができ、別の装着ハウジングにある電気機能部品の取り外し作業がいっそう容易となる。
【０００９】
請求項３に記載の発明では、請求項２に記載の電気接続箱において、前記突部は、前記隙間に配置されていることをその要旨とする。
この構成によれば、治具の回動支点となる突部が、別の装着ハウジングにある電気機能部品の近くに配置されるため、より小さな力でもって、その電気機能部品を浮き上がらせることができる。
【００１０】
【発明の実施の形態】
以下、本発明を具体化した一実施形態について、図面を参照して説明する。
図１、図２に示すように、電気接続箱１０の接続箱本体１３は、合成樹脂製のロアケース１１と、その開口部を塞ぐように装着される合成樹脂製のアッパーケース１２とから構成されている。アッパーケース１２の装着面の一端側には、ヒューズ１４がヒューズ用装着ハウジング１５を介して着脱可能に取り付けられ、他端側にはコネクタ１６がコネクタ用装着ハウジング１７を介して着脱可能に取り付けられている。
【００１１】
アッパーケース１２上の装着面の中央部には、前側と後側とでそれぞれ列をなすように複数の装着ハウジング２１，２２が並設され、それぞれの装着ハウジング２１，２２には電気機能部品としてのリレー２３が着脱可能に装着されている。そして、リレー２３が各装着ハウジング２１，２２に装着されている状態では、そのリレー２３の下面から突設された接続端子２３ａが、装着ハウジング２１，２２と対応する箇所に設けられた図示しない端子に挟入接続されている。
【００１２】
図１〜図４に示すように、各リレー２３の両側面にはそれぞれ２つの係合突起２４が形成され、その係合突起２４は、リレー２３が装着されている状態において、装着ハウジング２１，２２の対峙する内側面に凹設された誤挿入防止溝２５に係合されている。係合突起２４の位置はリレー２３の種類ごとに異なり、誤挿入防止溝２５は装着されるべきリレー２３の種類に応じて位置を異ならせてある。
【００１３】
コネクタ１６の近傍に配置されている後列の装着ハウジング（別の装着ハウジング）２２は、それらの並設方向において隙間なく配置され、各装着ハウジング２１間の境界部にある側壁は共有されている。一方、ヒューズ１４の近傍に配置されている前列の装着ハウジング（特定の装着ハウジング）２１は、それらの並設方向に一定の間隔をおいて配置されている。このような配置により、前列の装着ハウジング２２の間には隙間２７が形成されている。
【００１４】
前列に配置されている各装着ハウジング２１に対し、後列に配置されている各装着ハウジング２２は、互いに位置をずらして千鳥状に配置されている。これにより、前列の装着ハウジング２１間に形成された隙間２７の延長線上に後列の装着ハウジング２２の側壁に形成された切欠部２８が位置される。このため、隙間２７及び切欠部２８を介して、図２に示すマイナスドライバー等の治具２９の先端部を後列の装着ハウジング２２内に到達させることが可能となっている。なお、前列の装着ハウジング２１間に形成された隙間２７は、前記治具２９の幅とほぼ同じに設定されている。このように設定したのは、隙間２７に治具２９を挿入した際に、治具２９が前列の装着ハウジング２１の並列方向に妄動しないようにして、作業をやり易くするためである。
【００１５】
なお、図示しないが、治具２９が挿入される隙間２７は、前列の装着ハウジング２１間のみに形成されるものではない。例えば、図１、図２において前後を入れ替えて、前列の装着ハウジング（特定の装着ハウジング）２１の前方にコネクタ１６を配置し、後列の装着ハウジング（別の装着ハウジング）２２の後方にヒューズ１４を配置する。この場合、後列の装着ハウジング２２間にも前列の隙間２７と同じような隙間を形成することが可能である。或いは、後列の装着ハウジング２２のみに隙間を形成することも可能である。
【００１６】
接続箱本体１３の装着面において、装着ハウジング２１，２２群とヒューズ１４群との間のスペースには、装着ハウジング２１，２２の並設方向に沿って延びる帯状の突部３０が立設されている。この突部３０は、前記隙間２７に挿入された治具２９に対して支点となる役割がある。
【００１７】
さて、上記のように構成された電気接続箱１０において、後列の装着ハウジング２２に装着されたリレー２３を取り外すには、図４に示すように、前列の装着ハウジング２１の側方から取り外そうとするリレー２３に対応した隙間２７に治具２９を挿入する。そして、その治具２９の先端部をリレー２３とアッパーケース１２上の装着面との間に差し込むとともに、治具２９を突部３０の上端部に当接させ、その当接部分を中心にして治具２９を回動させると、リレー２３はアッパーケース１２の装着面から浮き上がる。その後、リレー２３を手で掴み、後列の装着ハウジング２２から取り外す。
【００１８】
以上のように、本実施形態によれば、前列の各装着ハウジング２１に対し後列の各装着ハウジング２２が位置ずれしているため、前列の各装着ハウジング２１の間に形成されている隙間２７を介して、治具２９の先端部を後列のリレー２３とアッパーケース１２上の装着面との間に差し込むことができる。このようにすれば、わざわざ前列のリレー２３を取り外さなくてもよく、後列のリレー２３の取り外し作業が容易になる。なお、前記実施形態の構成を、リレー２３以外にヒューズ１４やコネクタ１６の装着部についても応用することが可能である。
【００１９】
又、前列の装着ハウジング２１の近傍には、略帯状の突部３０が立設されているため、後列の装着ハウジング２２に装着されたリレー２３を抜き取る際に、突部３０を梃子の回動支点として、治具２９を回動操作することができる。よって、後列にあるリレー２３をアッパーケース１２上の装着面からより小さな力で浮き上がらせることができ、リレー２３の取り外し作業がいっそう容易になる。
【００２０】
さらに、前列の装着ハウジング２１間に形成された隙間２７は、前記治具２９の幅とほぼ同じに設定されているため、この隙間２７に治具２９を挿入した際に、治具２９が前列の装着ハウジング２１の並列方向に妄動しない。よって、電気接続箱１０の取付け位置が車室内の隅部等のように作業しづらい場所に配置されていても、リレー５１の交換作業を容易に行うことができる。
【００２１】
（第２実施形態）
前記第１実施形態に示す突部３０を次のように変更することができる。すなわち、図５、図６に示すように、治具２９の支点となる小片状の突部４０を、前列に配置されている装着ハウジング２１間の隙間２７に突設させてもよい。このようにすれば、突部４０は後列のリレー２３にいっそう近づくため、力点が支点から遠ざかることになって、後列のリレー２３を取り外す際に、第１実施形態よりも治具２９の回動操作力をより小さくすることができる。従って、後列のリレー２３をよりいっそう簡単に取り外すことができる。しかも、突部４０は前列の各装着ハウジング２１間の隙間２７に配置されているため、アッパーケース１２の装着面に突部４０を配置するためのスペースを特別に設ける必要がなく、接続箱本体１３の小型化を図ることができる。
【００２２】
【発明の効果】
本発明によれば、特定の装着ハウジングの間に形成された隙間に治具を挿入し、その治具の先端部を別の装着ハウジングにある電気機能部品と接続箱本体との間に差し込むことによって、別の装着ハウジングに装着されている電気機能部品を簡単に取り外すことができる。
【図面の簡単な説明】
【図１】第１実施形態における電気接続箱の斜視図。
【図２】同じく電気接続箱の一部切り欠き平面図。
【図３】同じく要部を示す斜視図。
【図４】同じくリレーを抜き取る際に、装着ハウジングの側方から見た電気接続箱の断面図。
【図５】第２実施形態における電気接続箱の一部分を示す斜視図。
【図６】同じくリレーを抜き取る際に、装着ハウジングの側方から見た電気接続箱の断面図。
【図７】従来技術における電気接続箱の斜視図。
【図８】同じく電気接続箱の一部切り欠き平面図。
【符号の説明】
１１…電気接続箱、１３…接続箱本体、２１…前列の装着ハウジング（特定の装着ハウジング）、２２…後列の装着ハウジング（別の装着ハウジング）、２３…リレー（電気機能部品）、２７…隙間、２９…治具、３０…突部。
【図１】
2004032839.tif 000003
【図２】
2004032839.tif 000004
【図３】
2004032839.tif 000005
【図４】
2004032839.tif 000006
【図５】
2004032839.tif 000007
【図６】
2004032839.tif 000008
【図７】
2004032839.tif 000009
【図８】
2004032839.tif 000010